(57)【要約】【課題】非接触式通信アンテナの電磁波放射機能が正常に動作するのか否かを簡易かつ迅速に判定することが可能な非接触式情報処理装置および非接触式カード状媒体発行機を提供する。【解決手段】電磁誘導によりカード状媒体と非接触で情報を記録又は再生する非接触式情報処理手段と、カード状媒体が搬送される搬送路と、を有するカードリーダ１であって、非接触式情報処理手段は、カード状媒体に設けた媒体側非接触式通信アンテナと情報の送受信が可能な装置側非接触式通信アンテナ２３を備え、装置側非接触式通信アンテナ２３の動作の可否を検知する検知手段が設けられ、検知手段は、装置側非接触式通信アンテナ２３を制御する制御回路（制御基板４０）とは独立した制御部を有するとともに、装置側非接触式通信アンテナ２３から発生する電磁波を検知する。【選択図】図４
2010256950.tif 000002
【特許請求の範囲】
【請求項１】
電磁誘導によりカード状媒体と非接触で情報を記録又は再生する非接触式情報処理手段と、前記カード状媒体が搬送される搬送路と、を有する非接触式情報処理装置であって、
前記非接触式情報処理手段は、前記カード状媒体に設けられた媒体側非接触式通信アンテナと情報の送受信が可能な装置側非接触式通信アンテナを備え、
前記装置側非接触式通信アンテナの動作の可否を検知する検知手段が設けられ、
前記検知手段は、前記装置側非接触式通信アンテナを制御する制御回路とは独立した制御部を有するとともに、前記装置側非接触式通信アンテナから発生する電磁波を検知することを特徴とする非接触式情報処理装置。
【請求項２】
前記検知手段は、前記装置側非接触式通信アンテナから発生する電磁波を検知する電磁波検知用アンテナと、装置側非接触式通信アンテナの動作の可否を視認するための電磁波検知用ＬＥＤと、を有し、
前記制御部は、前記電磁波検知用アンテナで得られた電流を整流して前記電磁波検知用ＬＥＤに供給する整流回路を備えることを特徴とする請求項１記載の非接触式情報処理装置。
【請求項３】
前記制御部は、前記電磁波検知用ＬＥＤへの電流供給量を調整する可変抵抗を備えることを特徴とする請求項２記載の非接触式情報処理装置。
【請求項４】
前記非接触式情報処理装置全体を統合的に制御するＣＰＵの動作の可否を視認するためのＣＰＵ検知用ＬＥＤが設けられ、
前記ＣＰＵ検知用ＬＥＤによって、前記ＣＰＵの動作の可否を視認するとともに、前記電磁波検知用ＬＥＤによって、装置側非接触式通信アンテナの動作の可否を視認することを特徴とする請求項１から３のいずれか記載の非接触式情報処理装置。
【請求項５】
前記検知手段は、前記装置側非接触式通信アンテナの少なくとも一部を囲むように配置された電磁シールドが形成されていない場所に取り付けられていることを特徴とする請求項１から４のいずれか記載の非接触式情報処理装置。
【請求項６】
請求項１から５のいずれか記載の非接触式情報処理装置を備え、前記カード状媒体の発行を行う非接触式カード状媒体発行機。
【発明の詳細な説明】
【技術分野】
【０００１】
本発明は、例えば銀行カードやクレジットカードなどの各種カード状媒体に対して非接触で情報の記録又は再生を行う非接触式情報処理装置および非接触式カード状媒体発行機に関する。
【背景技術】
【０００２】
従来から、金融機関などで使用され、キャッシュレスや個人認証などを実現するカードとして、表面に磁気ストライプが形成された磁気カードや、内部に集積回路チップ（ＩＣチップ）が埋設されるとともに、表面にＩＣ端子が配置されたＩＣカードがある。また、ＲＦ（Radio Frequency）ＩＣチップと通信アンテナ（アンテナコイル）が埋設され、電磁誘導によって情報の授受が行われる非接触式ＩＣカードも広く普及しつつある。非接触式ＩＣカードは、情報の記録又は再生にあたって、カード表面の汚れや磨耗等の影響を受けない利点がある。
【０００３】
磁気カードや接触式ＩＣカードに対する情報の記録又は再生は、磁気ヘッドやＩＣ接点を備えた磁気カードリーダによって行われる一方、非接触式ＩＣカードに対する情報の記録又は再生は、非接触式通信アンテナが設けられた非接触式カードリーダによって行われる。また、この非接触式カードリーダが搭載されたカード発行機は、非接触式ＩＣカードのリードライト機能を有する非接触式カード状媒体発行機となる。このような非接触式カード状媒体発行機では、ゲート口に挿入された非接触式ＩＣカードは、非接触式通信アンテナが設置された場所までモータ搬送され、電磁誘導によって情報の送受信（非接触ＩＣカード通信）が行われる。そして、通信終了後、非接触式ＩＣカードはゲート口から排出される。
【０００４】
ここで、電磁誘導によって情報の送受信を行う方式は、磁界を介して通信を行うものであり、その磁界の様子を目視することはできない。そのため、非接触式通信アンテナの機能が正常に動作しているのか否かを判定する技術が各種開発されている。たとえば、ＨＯＳＴ部に相当する箇所（上位装置など）において、実際に通信を行った際のデータの有無を確認することによって判定するものがある。また、非接触式カードリーダ単体で判定を行う際には、非接触式通信アンテナの機能を制御する非接触用制御ＩＣから所定回路を介してＣＰＵポートに信号を送り、判定用ＬＥＤなどを別途実装し、この判定用ＬＥＤのＯＮ／ＯＦＦを確認することで判定するものもある。さらに、近年になって、非接触式通信アンテナ自体にアンテナ検査用ＩＣタグを付加し、非接触用制御ＩＣとアンテナ検査用ＩＣタグとの間でＩＤコードのやりとりが行われることによって、非接触式通信アンテナの動作の可否を判定する技術が開発されている（例えば特許文献１参照）。
【０００５】
【特許文献１】特開２００８−４２４５２号公報
【発明の開示】
【発明が解決しようとする課題】
【０００６】
しかしながら、ＨＯＳＴ部やメインＣＰＵ、或いはアンテナ検査用ＩＣタグなどを用いて、非接触ＩＣカード通信機能が発揮されているかを判定する従来の技術では、非接触式通信アンテナの不具合を簡易に特定することが難しい。具体的には、上述したＨＯＳＴ部を用いた判定の場合、実際に通信を行った際のデータが無かったとしても、それが非接触式通信アンテナの不具合なのか、それとも非接触用制御ＩＣ，メインＣＰＵの故障なのか、メンテナンスマン等が簡易に特定することは難しい。また、上述した判定用ＬＥＤのＯＮ／ＯＦＦを用いた判定でも同様に、判定用ＬＥＤがＯＦＦになったとき、それが非接触式通信アンテナの不具合なのか、それとも非接触用制御ＩＣの故障なのか、メンテナンスマン等が簡易に特定することは難しい。この点、上述した特許文献１のアンテナ検査用ＩＣタグを用いた判定によれば、ＩＤコードのやりとりにより、非接触式通信アンテナの異常状態を検出することができる。しかし、ＩＤコードのやりとりという追加的な情報処理が必要になるため、検出された非接触式通信アンテナの異常状態は、ＩＤコードの情報処理エラーが原因である可能性も否定できない。このように、従来の技術では、非接触式カードリーダに設置された非接触式通信アンテナの電磁波放射機能が正常に動作するのか否かを簡易かつ迅速に特定することは困難であった。
【０００７】
本発明は、このような点に鑑みてなされたものであり、その目的は、非接触式通信アンテナの電磁波放射機能が正常に動作するのか否かを簡易かつ迅速に判定することが可能な非接触式情報処理装置および非接触式カード状媒体発行機を提供することにある。
【課題を解決するための手段】
【０００８】
以上のような課題を解決するために、本発明は、以下のものを提供する。
【０００９】
（１）  電磁誘導によりカード状媒体と非接触で情報を記録又は再生する非接触式情報処理手段と、前記カード状媒体が搬送される搬送路と、を有する非接触式情報処理装置であって、前記非接触式情報処理手段は、前記カード状媒体に設けた媒体側非接触式通信アンテナと情報の送受信が可能な装置側非接触式通信アンテナを備え、前記装置側非接触式通信アンテナの動作の可否を検知する検知手段が設けられ、前記検知手段は、前記装置側非接触式通信アンテナを制御する制御回路とは独立した制御部を有するとともに、前記装置側非接触式通信アンテナから発生する電磁波を検知することを特徴とする非接触式情報処理装置。
【００１０】
本発明によれば、装置側非接触式通信アンテナが設けられた非接触式情報処理装置に、その装置側非接触式通信アンテナの動作の可否を検知する検知手段が設けられており、この検知手段は、装置側非接触式通信アンテナを制御する制御回路とは独立した制御部を有するとともに、装置側非接触式通信アンテナから発生する電磁波を検知することが可能なので、非接触式通信アンテナの電磁波放射機能が正常に動作するか否かを簡易かつ迅速に判定することができる。
【００１１】
すなわち、非接触式通信アンテナから放射される電磁波を検知手段によって検知できれば、非接触式通信アンテナの電磁波放射機能は正常に動作していることが分かるし、逆に、検知手段によって電磁波を検知できなければ、メンテナンスマンは非接触式通信アンテナの故障を念頭におきながら、迅速なメンテナンスを行うことができる。このように、本発明は、検知手段によって、実際に非接触式通信アンテナから電磁波が放射されているか否かを簡易かつ迅速に判定することができる。また、本発明における検知手段は、装置側非接触式通信アンテナを制御する制御回路（例えば非接触用制御ＩＣなど）とは独立した制御部によって動作するので、その制御回路の故障等とは無関係に、電磁波検知機能を発揮することができる。
【００１２】
（２）  前記検知手段は、前記装置側非接触式通信アンテナから発生する電磁波を検知する電磁波検知用アンテナと、装置側非接触式通信アンテナの動作の可否を視認するための電磁波検知用ＬＥＤと、を有し、前記制御部は、前記電磁波検知用アンテナで得られた電流を整流して前記電磁波検知用ＬＥＤに供給する整流回路を備えることを特徴とする非接触式情報処理装置。
【００１３】
本発明によれば、上述した検知手段には、電磁波を検知する電磁波検知用アンテナと、装置側非接触式通信アンテナの動作の可否を視認するための電磁波検知用ＬＥＤとが設けられ、上述した制御部には、電磁波検知用アンテナで得られた電流を整流して電磁波検知用ＬＥＤに供給する整流回路が設けられているので、電磁波検知用ＬＥＤは整流回路を通じて電力供給を受けることができる。したがって、検知手段を動作させるために外部電源や電池が不要になり、より簡易な構成で、装置側非接触式通信アンテナの電磁波放射機能が正常に動作するか否かを判定することができる。また、電磁波検知用ＬＥＤや整流回路は、廉価に入手可能なので、製造コスト削減に寄与することもできる。
【００１４】
（３）  前記制御部は、前記電磁波検知用ＬＥＤへの電流供給量を調整する可変抵抗を備えることを特徴とする非接触式情報処理装置。
【００１５】
本発明によれば、上述した制御部には、電磁波検知用ＬＥＤへの電流供給量を調整する可変抵抗が設けられているので、電磁波検知用ＬＥＤに過大電流が流れるのを防ぐ本来の目的に加えて、電磁波の強弱による電流供給量を可変できることにより電磁波検知用ＬＥＤの明るさ調整を行うことができる。
【００１６】
（４）  前記非接触式情報処理装置全体を統合的に制御するＣＰＵの動作の可否を視認するためのＣＰＵ検知用ＬＥＤが設けられ、前記ＣＰＵ検知用ＬＥＤによって、前記ＣＰＵの動作の可否を視認するとともに、前記電磁波検知用ＬＥＤによって、装置側非接触式通信アンテナの動作の可否を視認することを特徴とする非接触式情報処理装置。
【００１７】
本発明によれば、非接触式情報処理装置には、装置全体を統合的に制御するＣＰＵ（メインＣＰＵ）の動作の可否を視認するためのＣＰＵ検知用ＬＥＤが設けられており、このＣＰＵ検知用ＬＥＤと上述した電磁波検知用ＬＥＤとによって、ＣＰＵ及び装置側非接触式通信アンテナの動作の可否を視認することができるので、メンテナンスマンは、より簡易かつ迅速に、不具合箇所を特定することができる。
【００１８】
（５）  前記検知手段は、前記装置側非接触式通信アンテナの少なくとも一部を囲むように配置された電磁シールドが形成されていない場所に取り付けられていることを特徴とする非接触式情報処理装置。
【００１９】
本発明によれば、上述した検知手段は、装置側非接触式通信アンテナの少なくとも一部を囲むように配置された電磁シールドが形成されていない場所に取り付けられているので、電磁シールドの存在に起因した磁束の乱れによって、検知エラーが生じるのを防ぐことができる。
【００２０】
（６）  請求項１から５のいずれか記載の非接触式情報処理装置を備え、前記カード状媒体の発行を行う非接触式カード状媒体発行機。
【００２１】
本発明によれば、装置側非接触式通信アンテナの電磁波放射機能が正常に動作するか否かを簡易かつ迅速に判定することが可能な非接触式カード状媒体発行機を提供することができる。
【発明の効果】
【００２２】
以上説明したように、本発明によれば、装置側非接触式通信アンテナの動作の可否を検知する検知手段によって、装置側非接触式通信アンテナの電磁波放射機能が正常に動作するか否かを簡易かつ迅速に判定することができる。
【発明を実施するための最良の形態】
【００２３】
以下、本発明を実施するための最良の形態について、図面を参照しながら説明する。
【００２４】
図１は、本発明の実施の形態に係る非接触式カード発行機１００（非接触式カード状媒体発行機の一例）の構成を示す図である。特に、図１（ａ）は、非接触式カード発行機１００を左前から見たときの外観側面図であって、図１（ｂ）は、非接触式カード発行機１００を右前から見たときの外観側面図である。図２（ａ）は、図１（ｂ）に示す非接触式カード発行機１００から筐体のカバー１０２を取り外した状態を示す図であり、図２（ｂ）は、図２（ａ）の一部を拡大した拡大図である。また、図３（ａ）は、図２（ａ）に示す非接触式カード発行機１００を右後から見たときの状態を示す図であり、図３（ｂ）は、図３（ａ）の一部を拡大した拡大図である。カードリーダ１は、例えば（ＡＴＭ等（ホスト）など）の上位装置に接続され、所定のインターフェースを介して上位装置からコマンドを受信したり、上位装置へコマンド実行結果等を送信したりする。また、カードリーダ１は、磁気ヘッド（図示せず）や装置側非接触式通信アンテナ２３を備え、磁気カードと非接触式ＩＣカードＣの両方を処理可能な複合機となっている。
【００２５】
なお、図１（ａ）及び図１（ｂ）に示すように、互いに直交する３方向のそれぞれをＸ方向、Ｙ方向およびＺ方向とするとともに、Ｘ１方向を右、Ｘ２方向を左、Ｙ１方向を前、Ｙ２方向を後ろ、Ｚ１方向を上、Ｚ２方向を下とする。
【００２６】
図１〜図３において、非接触式カード発行機１００は、内部に収納されたカードを発行する機能を備えており、たとえば、ホテルのフロントやコンビニエンスストアのレジカウンタ等に設置されて使用される。また、不要、使用済みあるいはエラーとなったカード等を回収する機能も備えている。
【００２７】
非接触式カード発行機１００は、非接触式情報処理装置の一例としてのカードリーダ１と、カードの発行や回収が行われるカード発行回収部１０１とを有している。カードリーダ１は、カードを挿入するためのカード挿入口１１（カードを排出するときにはカード排出口となる）、カード挿入口１１から後方に向けてカードが搬送される搬送路、カード上の磁気ストライプに摺接させカードに対してリードライト処理（情報の記録又は再生）を行う磁気ヘッドや装置側非接触式通信アンテナ２３などを備えている。なお、磁気ヘッドを含めカードリーダ１の全体を制御するＣＰＵ等が実装された回路基板２２（図４参照）は、カードリーダ１の下方に配置されている。また、特に図示しないが、駆動モータの回転数を検出するエンコーダや、カードリーダ１内に挿入されたカードの端部等を検知する位置検知センサなども設けられている。
【００２８】
磁気ヘッドは、カード表面上の磁気ストライプに接触・摺動することによって、その磁気ストライプに記録された磁気データを読み取り、その磁気データに係る再生信号を生成するものである。一方、装置側非接触式通信アンテナ２３は、カードに設けた（埋設された）非接触式通信アンテナと情報の送受信が可能であって、その非接触式通信アンテナを通じて、電磁誘導によりカードに埋設されたＩＣチップとの通信を行うものである。また、搬送路の近傍かつ上方に配置され、制御基板４０に実装された非接触用制御ＩＣ４０ａによって制御される。
【００２９】
カード発行回収部１０１は、発行前の複数のカードが積層されて収納されるカード収納機能と、不要なカードを回収するためのカード回収機能とを有しており、また、収納されているカードをカードリーダ１に向かって送り出す排出機構なども有している（図示省略）。具体的には、カード発行回収部１０１は、発行前の複数のカードが積層されて収納されるカード収納部１０１Ａと、不要なカードを回収するためのカード回収庫１０１Ｂとを有している。
【００３０】
カード発行時には、まず、カード排出機構がカード発行回収部１０１に収納されたカードをカードリーダ１に向かって送り出す。カードリーダ１では、たとえばカードに所定の情報が記録される。また、情報が記録されたカードは、非接触式カード発行機１００からカード挿入口１１を通じて排出される（発行される）。
【００３１】
また、たとえば非接触式カード発行機１００に挿入され、カードリーダ１で情報の通信が行われた結果、回収が必要であると判断されたカードは、カードリーダ１からカード発行回収部１０１に向かって排出される。カードリーダ１から排出されるカードは、図示しないガイド部材によってカード回収庫１０１Ｂへ案内されて回収される。カード回収庫１０１Ｂは、カードリーダ１よりも下側に配置されているため、カードリーダ１から排出されるカードは、自重でカード回収庫１０１Ｂの中に落下する。
【００３２】
図１（ｂ）に示すカバー１０２は樹脂素材で構成されており、このカバー１０２を取り除くと、図２（ａ）に示す状態になる。その拡大図である図２（ｂ）において、カードリーダ１の右側面にはローラ１２、１６があり、ローラ１２とローラ１６との間には、樹脂素材から構成される電磁波検知回路設置板６０が設けられている。この電磁波検知回路設置板６０は、前後上下（図１でいうＹ１，Ｙ２，Ｚ１，Ｚ２）に広がる板であって、左右方向（図１でいうＸ１，Ｘ２）に厚みがある。
【００３３】
図２（ａ）および図２（ｂ）に示すように、カードリーダ１の上方には、装置側非接触式通信アンテナ２３を制御するための非接触用制御ＩＣ４０ａが実装された制御基板４０が設置されている。装置側非接触式通信アンテナ２３は、挿入されるカードと平行になるように、制御基板４０の下方に設置されている。また、図２（ａ）に示すように、装置側非接触式通信アンテナ２３を囲むように電磁シールド３０が配置されている。電磁シールド３０は、装置側非接触式通信アンテナ２３の周りを全て囲っているわけではなく、カードリーダ１では、装置側非接触式通信アンテナ２３の前方、左方、後方を囲っている。すなわち、装置側非接触式通信アンテナ２３の右方は電磁シールドが形成されていない場所になり、この場所に、上述した電磁波検知回路設置板６０が取り付けられている。
【００３４】
ここで、本発明に係るカードリーダ１では、電磁波検知回路設置板６０の右側面に、電磁波検知回路５０が設けられている。電磁波検知回路５０は、装置側非接触式通信アンテナ２３の動作の可否を検知する検知手段の一例として機能する回路である。回路構成については後述する。なお、図２および図３の電磁波検知回路５０を示す図は、直方体で、中央付近に左右方向に穴が開いた図となっているが、これらはあくまで設置場所を示す概念図であって、その形状や大きさの如何は問わない（丸みを帯びていていもよいし、中央付近に穴が開いていなくてもよい）。また、本実施形態では、電磁波検知回路５０が設けられた樹脂素材の電磁波検知回路設置板６０を、装置側非接触式通信アンテナ２３の右方に配置することとしたが、これを前方や左方、後方に設けても構わない。また、カードリーダ１の外観は、基本的に金属体で覆われるが、電磁波検知回路設置板６０とカバー１０２を樹脂素材とすることによって、電磁波検知回路５０において電磁誘導の特性が変化することを防いでいる。さらに、電磁シールド３０が形成されていない場所であれば、電磁波検知回路５０のみを配置してもよい（電磁波検知回路設置板６０は必ずしも必要ない）。
【００３５】
図４は、カードリーダ１の電気的構成を示すブロック図である。図４において、カードリーダ１は、カードリーダ１の全体を制御するメインＣＰＵ２２ａ等が実装された回路基板２２と、非接触用制御ＩＣ４０ａが実装された制御基板４０とを有している。回路基板２２には、カードリーダ１全体を統合的に制御するメインＣＰＵ２２ａと、図示しないがＲＯＭやＲＡＭ等のメモリが設けられている。メインＣＰＵ２２ａには、回路基板２２の動作確認用のＬＥＤ２２ｂが接続されており、これにより、メインＣＰＵ２２ａの動作の可否を視認することができる。このＬＥＤ２２ｂは、ＣＰＵ検知用ＬＥＤの一例として機能するとともに、可変抵抗２２ｃを介して接地されている。一方で、制御基板４０には、装置側非接触式通信アンテナ２３が電気的に接続されており、非接触式ＩＣカードＣと情報の授受を行うことができるようになっている。また、制御基板４０に実装された非接触用制御ＩＣ４０ａは、メインＣＰＵ２２ａからの指令に従って、装置側非接触式通信アンテナ２３を制御する。
【００３６】
ここで、本実施形態に係るカードリーダ１では、上述したように装置側非接触式通信アンテナ２３の近くに電磁波検知回路５０が設けられた樹脂素材の電磁波検知回路設置板６０が配置されている（図２（ｂ）参照）。電磁波検知回路５０は、装置側非接触式通信アンテナ２３から発生する電磁波（図中の点線矢印を参照）を検知する電磁波検知用アンテナ５１と、装置側非接触式通信アンテナ２３の動作の可否を視認するためのＬＥＤ５４とを有しており、このＬＥＤ５４は、電磁波検知用ＬＥＤの一例として機能する。また、本実施形態では、整流回路５２、コンデンサ５３、可変抵抗５５を有している。整流回路５２は、電磁波検知用アンテナ５１で得られた誘導電流を整流してＬＥＤ５４に電流供給する整流機能を有しており、コンデンサ５３は、整流された電流のリップルを抑制したり、パルス状の電流を平滑化したりする機能を有している（非接触用制御ＩＣ４０ａからの信号源はパルス源を含んでいることがある）。また、可変抵抗５５は、ＬＥＤ５４への過大電流を防止する機能とともに、ＬＥＤ５４への電流供給量を調整し、電磁波の強弱による電流供給量を可変できることにより電磁波検知用ＬＥＤの明るさを調整する機能も有している。なお、図４において二点鎖線で示すように、電磁波検知回路５０は、メインＣＰＵ２２ａ、非接触用制御ＩＣ４０ａ等とは電気的に独立している。また、電磁波検知用アンテナ５１、整流回路５２、コンデンサ５３、可変抵抗５５は、ＬＥＤ５４を制御する「制御部」の一例として機能する。
【００３７】
図４に示すＬＥＤ２２ｂとＬＥＤ５４を有するカードリーダ１によれば、ＬＥＤ２２ｂによって、メインＣＰＵ２２ａの動作の可否を視認でき、また、ＬＥＤ５４によって、装置側非接触式通信アンテナ２３の動作の可否を視認できる。このように、メインＣＰＵ２２ａが正常動作していることを前提として、装置側非接触式通信アンテナ２３が電磁波放射機能を正常に発揮しているか、非接触用制御ＩＣが正常に動作しているか、をＬＥＤ５４によってモニタリングすることによって、メンテナンスマンは、より簡易かつ迅速に不具合箇所を特定することができる。
【００３８】
図５は、電磁波検知回路５０によって装置側非接触式通信アンテナ２３からの電磁波を検知している様子を示す概念図である。
【００３９】
図５において、カードリーダ１は、装置側非接触式通信アンテナ２３から発せられた電磁波の磁束を用いて非接触式ＩＣカードＣとの通信を行う（図中の点線矢印参照）。これは、電磁誘導方式によるもので、電磁波の磁束の方向性についてはインダクタンス成分に依存するため、意図的に電磁波の磁束の方向性を変えることができる。本実施形態では、装置側非接触式通信アンテナ２３は、非接触式ＩＣカードＣと対面方向となるが、電磁波検知回路５０の基板（電磁波検知用アンテナ５１）とは垂直面に設置される。装置側非接触式通信アンテナ２３から発せられる電磁波の磁束は、中心に近い位置ほど強磁界であるため、中心に近いほど電磁波の磁束は得られやすい。そこで、電磁波検知回路５０の基板は、中心に近い電磁波の磁束を得るため、また、容易に設置が可能であるため、図５に示すような位置（装置側非接触式通信アンテナ２３と非接触式ＩＣカードＣの間の中央付近）に設置する。これにより、非接触式ＩＣカードＣとの通信時の電磁波の磁束とは方向性は異なるが、ＬＥＤ５４を動作させるための電圧を得ることができる。
【００４０】
図６は、本実施形態に係るカードリーダ１において非接触式ＩＣカードＣとの通信確認を行う流れを示すフローチャートである。なお、本実施形態では、非接触式ＩＣカードＣが、カードリーダ１の搬送路内の所定の位置に到達した場合に、装置側非接触式通信アンテナ２３を動作するように制御されている。もし、装置側非接触式通信アンテナ２３が常時、動作している状態とした場合には、非接触式ＩＣカードＣを所定の位置へ搬送する途中で、通信可能な状態となり、通信を行ってしまう場合が生じる。しかし、非接触式ＩＣカードＣが搬送されている状態なので、不安定な状態で通信を行うことになり、エラーを発生し易い状態となってしまう。これを回避するために、上述のとおり、非接触式ＩＣカードＣが所定の位置に停止した後、装置側非接触式通信アンテナ２３を動作させて、非接触式ＩＣカードＣと通信を行うようにしている。また、費用面等においても、節約することができる。
【００４１】
図６において、まず、メインＣＰＵ２２ａ（図中では「制御ＣＰＵ」と記載）の駆動を行う（ステップＳ１）。その結果、メインＣＰＵ２２ａから出力される信号源の命令によって、ＬＥＤ２２ｂ（図中では「ＣＰＵ検知用ＬＥＤ」と記載）が点灯するか否かが、メンテナンスマン等によって判断される（ステップＳ２）。ＬＥＤ２２ｂが点灯しない場合には、ハードウェア上の問題またはインターフェース間でのエラーが考えられるため、再動作を行って、メインＣＰＵ２２ａが駆動するか否かを確認する（ステップＳ３）。それでも点灯しない場合には（ステップＳ３：ＮＯ）、制御不良であるため処理を中止する（中止（１））。
【００４２】
一方、ステップＳ２でＬＥＤ２２ｂが点灯した場合（ステップＳ２：ＹＥＳ）、或いは、再動作を行ってメインＣＰＵ２２ａが駆動し、ＬＥＤ２２ｂが点灯した場合には（ステップＳ３：ＹＥＳ）、非接触用制御ＩＣ４０ａに含まれるＣＰＵ（図中では「非接触制御ＣＰＵ」と記載）を駆動する（ステップＳ４）。なお、この非接触制御ＣＰＵは、電力出力ＣＰＵであり、非接触式ＩＣカードＣとの通信を行うための機能を有するものである。その後、非接触制御ＣＰＵの駆動、すなわちＬＥＤ５４が点灯したか否かがメンテナンスマン等によって判断され（ステップＳ５）、点灯していない場合には（ステップＳ５：ＮＯ）、装置側非接触式通信アンテナ２３の不具合か（結線不良等）、非接触用制御ＩＣ４０ａの不具合（非接触用制御ＩＣ４０ａから適正な電力が出力されていないか、電力が不十分であるか等）であるので、処理を中止する（中止（２））。
【００４３】
一方、ステップＳ５においてＬＥＤ５４が点灯した場合には（ステップＳ５：ＹＥＳ）、非接触用制御ＩＣ４０ａから適正な電力が出力され、装置側非接触式通信アンテナ２３が電磁波放射機能を正常に発揮していることが確認できるので、非接触式ＩＣカードＣとの通信を開始する（ステップＳ６）。そして、読み取りができたか否かが判断され（ステップＳ７）、非接触式ＩＣカードＣのデータ読み取りができなければ（ステップＳ７：ＮＯ）、ステップＳ６に戻って再度通信を行う一方、非接触式ＩＣカードＣのデータ読み取りに成功すれば（ステップＳ７：ＹＥＳ）、通信が完了したとして（ステップＳ８）、処理を終了する。
【００４４】
また、ステップＳ６、ステップＳ７を複数回繰り返し、非接触式ＩＣカードＣのデータ読み取りができなければ、例えば、カード不良と判断し、非接触式ＩＣカードＣをカード挿入口から排出する。
【００４５】
［実施形態の主な効果］
以上説明したように、本実施形態に係る非接触式カード発行機１００およびカードリーダ１によれば、メンテナンスマンは、ＬＥＤ５４が点灯しているか否かを視認することで（図６のステップＳ５）、装置側非接触式通信アンテナ２３の故障または非接触用制御ＩＣの不具合を念頭におきながら迅速なメンテナンスを行うことができる。また、ＬＥＤ５４は、制御基板４０とは独立して動作するので、制御基板４０の非接触用制御ＩＣ４０ａの不具合とは別に、電磁波検知機能を発揮することができる（たとえば非接触用制御ＩＣ４０ａは正常に動作しているが、装置側非接触式通信アンテナ２３から電磁波が発せられてないような不具合も特定できる）。
【００４６】
また、図４のブロック図に示すように、電磁波検知回路５０は、外部からの電源や電池は不要であるので、より簡易な構成で、装置側非接触式通信アンテナ２３の電磁波放射機能が正常に動作するか否かを判定することができる。また、ＬＥＤ５４を機種の見やすい位置に設置することで、メンテナンスマンは動作確認が容易になるし、ＬＥＤ５４の光源の強弱によって、磁界の強弱も確認できる。
【００４７】
さらに、図６のステップＳ２とステップＳ５で示すように、２個のＬＥＤ２２ｂおよびＬＥＤ５４を利用することで、メインＣＰＵ２２ａおよび装置側非接触式通信アンテナ２３の動作の可否を視認することができるので、メンテナンスマンは、より簡易かつ迅速に不具合箇所を特定することができる（問題箇所の早期特定に繋がる）。
【産業上の利用可能性】
【００４８】
以上説明したように、本発明は、カードリーダの装置側非接触式通信アンテナの電磁波放射機能が正常に動作するか否かを、簡易かつ迅速に判定するものとして有用である。
【図面の簡単な説明】
【００４９】
【図１】本発明の実施の形態に係る非接触式カード発行機の構成を示す図である。
【図２】図１（ｂ）に示す非接触式カード発行機から筐体のカバーを取り外した状態を示す図である。
【図３】図２（ａ）に示す非接触式カード発行機を右後から見たときの状態を示す図である。
【図４】カードリーダの電気的構成を示すブロック図である。
【図５】電磁波検知回路によって装置側非接触式通信アンテナからの電磁波を検知している様子を示す概念図である。
【図６】本実施形態に係るカードリーダにおいて非接触式ＩＣカードとの通信確認を行う流れを示すフローチャートである。
【符号の説明】
【００５０】
１  カードリーダ
１１  カード挿入口
１２，１６  ローラ
２２  回路基板
２２ａ  メインＣＰＵ
２２ｂ  ＬＥＤ
２３  装置側非接触式通信アンテナ
５０  電磁波検知回路
５１  電磁波検知用アンテナ
５２  整流回路
５３  コンデンサ
５４  ＬＥＤ
５５  可変抵抗
【図１】
2010256950.tif 000003
【図２】
2010256950.tif 000004
【図３】
2010256950.tif 000005
【図４】
2010256950.tif 000006
【図５】
2010256950.tif 000007
【図６】
2010256950.tif 000008